(57)【要約】      （修正有）【課題】折りたたみ／展開可能であって、食べこぼしを捕捉することのできるよだれ掛けを提供する。【解決手段】折りたたみ／展開可能なよだれ掛けは、紙のような軽量で薄い、折りたたみ可能なシート材料から形成される。シートは折り線を有し、折り線に沿って折りたたまれ、比較的小さな携帯用パッケージにすることができる。本発明のよだれ掛けは、その端部食物片を捕捉する溝を形成するように展開できる。【選択図】図１
2007169863.tif 000002
【特許請求の範囲】
【請求項１】
折りたたみ／展開可能なよだれ掛け（ｂｉｂ）であって、
ａ）薄くて可撓性のある折りたたみ可能な材料からなるシートと、
ｂ）前記シートの１つの端縁部にある薄くて可撓性のある折りたたみ可能な材料からなる細長片と、
ｃ）前記シートの反対側の端縁部にある薄くて可撓性のある折りたたみ可能な材料からなる別の細長片とを備え、
ｄ）前記細長片は、該細長片の自由端近傍の長い端縁部に沿って複数の溝を有しており、
ｅ）前記別の細長片は、該別の細長片の自由端近傍の長い端縁部に沿って複数の溝を有しており、
ｆ）前記細長片の前記溝の開口は１つの方向を向いており、前記別の細長片の前記溝の開口は反対の方向を向いており、
ｇ）前記シートは、前記細長片に対して実質的に垂直な複数の折り線（ｃｒｅａｓｅ）を有しており、
ｈ）前記シートは、前記細長片に対して実質的に平行な複数の折り線を有しており、
ｉ）前記細長片は、該細長片に対して実質的に横断方向にある複数の折り線を有しており、
ｊ）前記別の細長片は、該別の細長片に対して実質的に横断方向にある複数の折り線を有しており、
ｋ）前記シートは、該シートの、前記細長片に対して実質的に垂直な前記折り線に沿って折りたたみ／展開可能であり、
ｌ）前記シートは、該シートの、前記細長片に対して実質的に平行な前記折り線に沿って折りたたみ／展開可能であり、
ｍ）前記細長片は、該細長片の前記折り線に沿って折りたたみ／展開可能であり、
ｎ）前記別の細長片は、該別の細長片の前記折り線に沿って折りたたみ／展開可能であり、
ｏ）前記細長片の前記溝は、前記別の細長片の前記溝に係合可能であることを特徴とする、よだれ掛け。
【請求項２】
請求項１に記載の折りたたみ／展開可能なよだれ掛けであって、前記細長片は、該細長片から側方に伸びており、かつ、複数の折り線を有し、かつ、前記折り線に沿って折りたたみ／展開可能であるタブを有していることを特徴とする、よだれ掛け。
【請求項３】
請求項２に記載の折りたたみ／展開可能なよだれ掛けであって、前記タブは、粘着性材料でコーティングされた領域を有していることを特徴とする、よだれ掛け。
【請求項４】
請求項２に記載の折りたたみ／展開可能なよだれ掛けであって、前記タブは、粘着性材料でコーティングされた複数の領域を有していることを特徴とする、よだれ掛け。
【請求項５】
請求項２に記載の折りたたみ／展開可能なよだれ掛けであって、前記タブは、該タブの先端に係合可能である溝を有していることを特徴とする、よだれ掛け。
【請求項６】
折りたたみ可能で展開可能なよだれ掛けであって、
ａ）よだれ掛け本体と、
ｂ）よだれ掛け本体の端部に設けられたよだれ掛け溝（ｔｒｏｕｇｈ）とを備え、
ｃ）前記よだれ掛け本体と前記溝の各々は、前記よだれ掛けが折り曲げられた時ひだを形成する折り線を形成していることを特徴とする、よだれ掛け。
【請求項７】
請求項６に記載のよだれ掛けであって、前記よだれ掛け本体の両端縁部に近接して延びている、細長く相互に連結可能で折りたたみ可能なホルダー細長片を有しており、前記よだれ掛け本体の前記折り線は、前記細長片に向けて延びていることを特徴とする、よだれ掛け。
【請求項８】
請求項７に記載のよだれ掛けであって，前記細長片の１つから延びている保持タブを有し、前記保持タブは、折りたたまれたタブが，折りたたまれた前記よだれ掛け本体の周囲を延びることを可能にする折り線を有していることを特徴とする、よだれ掛け。
【発明の詳細な説明】
【技術分野】
【０００１】
本発明は、折りたたみ／展開可能であって、食べこぼしを捕捉することのできるよだれ掛けに関する。
【背景技術】
【０００２】
通常、車又はソファで食事をすると、至る所に食物片が散らばる結果となる。一般に、食物片は、まず、食事する人の衣服の上に落ち、その後、床にこぼれ落ちたりシートに散らばったりする。
【発明の開示】
【発明が解決しようとする課題】
【０００３】
軽量で持ち運び易く、かつ、食物片が衣服を汚し、食事する人からこぼれ落ちることを防ぐことのできる手段が望まれている。
【課題を解決するための手段】
【０００４】
本発明の折りたたみ／展開可能なよだれ掛けは、例えば紙のような軽量で薄い、可撓性のある折りたたみ可能な材料からなるシートからできている。シートは折り線を有し、該折り線に沿ってシートは折りたたまれ、比較的小さな携帯用パッケージにすることができる。本発明のよだれ掛けの各々は、該よだれ掛けを小さくコンパクトにしておくことができるようなシースを有することができる。本発明のよだれ掛けは、その端部に、食物片を捕捉する溝を形成するように展開することができる。
【０００５】
本発明のこれらの目的及び効果、並びに他の目的及び効果は、実施例の詳細と共に、以下の明細書の記載及び図面からよりよく理解されるであろう。
【発明を実施するための最良の形態】
【０００６】
図１を参照すると、完全に展開された本発明の折りたたみ／展開可能なよだれ掛け（ｂｉｂ）２１は、（例えば紙のような）薄くて可撓性のある折りたたみ可能な材料２２からなるシートを備え，該シートは、（両側に１本ずつ）２本の細長片２３と２４を有している。多くの溝２５と２６が、それぞれ、細長片２３と２４の各々の端縁部に沿って設けられている。溝２５と２６の開口は互いに向かい合っている。また、薄くて可撓性のある折りたたみ可能な材料と２本の細長片には多くの折り線（ｃｒｅａｓｅ）２７、２８、２９、２０が設けられている。タブ３０が随意的に細長片２３に取り付けられる。タブもまた多くの折り線３１を有し、粘着性材料でコーティングされた領域３２を有している。該領域は、タブの自由端縁部の近傍にある。本発明のよだれ掛けは，それら折り線に沿って折りたたみ／展開可能である。
【０００７】
図２乃至１３を参照すると、完全に展開された本発明のよだれ掛けは、折りたたまれて、比較的コンパクトで小さなパッケージにされる（図１３を参照）。
図２を参照すると、最初の２つの折り曲げが、細長片を有しない端縁部に最も近い折り線である折り線３４と３６に沿って行われる。折り曲げ方向３３と３５は、裏側に向かっている（ｂａｃｋｗａｒｄｓ）。図３を参照すると、２回目の折り曲げが折り線３８に沿って行われ，折り曲げ方向３７は表側に向かっている（ｆｏｒｗａｒｄｓ）。図４を参照すると、３回目の折り曲げが折り線４０に沿って行われ、折り曲げ方向３９は表側に向かっている。
【０００８】
図５を参照すると，４回目の折り曲げが、折り線４２に沿って行われ，折り曲げ方向４１は表側に向かっている。
図６を参照すると、２本の細長片が、それぞれ、折り線４５と４６に沿って表側に向かって（方向４３と４４に）折り曲げられる。図７を参照すると、２本の細長片は、それぞれ、折り線４９と５０に沿って表側に向かって（方向４７と４８に）再び折り曲げられる。
【０００９】
図８及び９を参照すると、すでに横断方向に折り曲げられた薄くて可撓性のある折りたたみ可能な材料５３は、折り線５２に沿って折り曲げられる。折り曲げは、２本の隣り合う折り線に沿って表側方向と裏側方向の２方向で行われる。全体的な折り曲げ方向５１は、折りたたまれた細長片を互いにできるだけ近づけようとするものである。
【００１０】
図１０を参照すると、タブ５５が、すでに折りたたまれたよだれ掛け６３の裏側で折りたたまれるように、折り線５７に沿って折り曲げ方向５６に折り曲げられる。  図１１を参照すると、タブ５８が、すでに折りたたまれたよだれ掛け６３の周囲を包むように、折り線６０と６２に沿ってそれぞれの折り曲げ方向５９と６１に折り曲げられる。図１２を参照すると、タブ６４は、すでに折りたたまれたよだれ掛け６３の周囲を包むように、折り線６６と６８に沿ってそれぞれの折り曲げ方向６５と６７に再び折り曲げられる。図１３を参照すると、粘着性材料７０がすでに折りたたまれたタブ６９の裏側に付着する。そして、折りたたまれたよだれ掛けが折りたたまれたよだれ掛け６３をくるむ。
【００１１】
折りたたまれたよだれ掛けを開くには、使用者はまず、タブがタブ自身の裏面に接着されないようにタブを引かなければならない。次に、使用者は逆工程に従う（図１３から図２まで順に参照のこと）。しかし、使用者は展開したよだれ掛けを使用するために、図２の段階まで遡って開く必要はない。
【００１２】
図１４及び１５を参照すると、折りたたみ／展開可能なよだれ掛け２１を使用するために、使用者７１は、よだれ掛けの薄くて可撓性のある折りたたみ可能な材料２２からなるシートを、「Ｕ」に似た断面を有する溝（ｔｒｏｕｇｈ）７４がよだれ掛けの底縁部に形成されるまで、開く。使用者は、２本の細長片２３と２４を上方に向けて開いてから、開いた細長片を彼／彼女の首の周りに持っていく。その後、使用者は、各細長片から１つずつ、２つの溝を係合させることにより２本の細長片を連結させる。そして、よだれ掛けを使用することができる。
【００１３】
図１５を参照すると，使用者７１が食品７２を噛んだ際、いくらかの食物片７３が食品から落ちる。食物片が使用者の衣服を汚すことをよだれ掛けが防ぐだけでなく、食物片がよだれ掛けからこぼれ落ちることを、よだれ掛けの溝７４が防ぐ。薄くて可撓性のある折りたたみ可能な材料２２の最初の屈曲部である折り返し部分７５と７６は、剛性を高めると共に、よだれ掛けにあまり鋭くない端縁部を提供する。
【００１４】
本発明のよだれ掛けの、他の３つの変形例も示す。
図１６を参照すると、本発明の折りたたみ／展開可能なよだれ掛け７７の１つの変形例は、図１のものについて前記された２２と３０と同様の、薄くて可撓性のある折りたたみ可能な材料７８と７９とからなる２枚のシートを備えている。シート７８は、図１のシート２２について記載された方法と同様の方法で折りたたむことができる。シート７９は、折りたたまれたよだれ掛けのためのシース（ｓｈｅａｔｈ）を形成するように、折り線８０に沿って折りたたむことができる。粘着性の領域８１は、折りたたまれたシート７９をシースの形に維持することができる。
【００１５】
薄くて可撓性のある折りたたみ可能な材料からなるシートの２本の細長片は、同じ長さを有していなくてもよい。図１７を参照すると、本発明の折りたたみ／展開可能なよだれ掛けの他の変形例の一方の細長片８３は、他方の細長片８４よりずっと長い。この変形例では、使用者は、２本の細長片の２つの溝を、彼／彼女が目で見て容易に係合できる前側で係合させることによって、２本の細長片を連結させることができる。
【００１６】
図１８を参照すると、完全に展開した状態の本発明の折りたたみ／展開可能なよだれ掛けのもう１つの変形例もまた、薄くて可撓性のある折りたたみ可能な材料８２からなるシートを備えている。このシートもまた、図１のものと同様に、２本の細長片８３と８４、多くの溝８５と８６、多くの折り線８７、８８、８９及び１００を有している。タブ９０は細長片８３に取り付けられている。タブはまた、多くの折り線９１と溝９２を有している。先端９３は、先端９３が溝９２に挿入されたとき溝９２に係合可能な、２つの溝９４を有している。このよだれ掛けもまた、それらの折り線に沿って折りたたみ／展開可能である。
【００１７】
図１８の変形例の折りたたみ工程／手順は、折りたたまれたタブ９０を折りたたまれたよだれ掛けのシースとして保持するためにタブ９０の先端９３が溝９２に挿入される点を除き、図１のものと同様である。折りたたまれたよだれ掛けを展開する際、使用者は、図１の変形例について記載された工程／手順と同様に、溝９２から先端９３を引き出してから折りたたまれたよだれ掛けを開かなければならない。
【００１８】
上記は、本発明の原理についての例示に過ぎないと考えられる。さらに、多数の変形及び変更が当業者には容易に思いつくであろうから、本発明を、図示され説明されたものと全く同じ構成や作用に限定することは望まれない。よって、あらゆる適当な変形物及び均等物は請求項に記載された発明の範囲に含まれ、その範囲内に属してよい。
【図面の簡単な説明】
【００１９】
【図１】図１は、完全に展開された本発明のよだれ掛けの平面図である。
【図２】図２は、よだれ掛けの折りたたみ工程の開始を示す。
【図３】図３は、よだれ掛けの折りたたみ工程を示す。
【図４】図４は、よだれ掛けの折りたたみ工程を示す。
【図５】図５は、よだれ掛けの折りたたみ工程を示す。
【図６】図６は、よだれ掛けの折りたたみ工程を示す。
【図７】図７は、よだれ掛けの折りたたみ工程を示す。
【図８】図８は、よだれ掛けの折りたたみ工程を示す。
【図９】図９は、よだれ掛けの折りたたみ工程を示す。
【図１０】図１０は、よだれ掛けの折りたたみ工程を示す。
【図１１】図１１は、よだれ掛けの折りたたみ工程を示す。
【図１２】図１２は、よだれ掛けの折りたたみ工程を示す。
【図１３】図１３は、折りたたみ工程の終了を示す。
【図１４】図１４は、作用位置にある本発明のよだれ掛けの斜視図である。
【図１５】図１５は、本発明のよだれ掛けの作用を示す概略図である。
【図１６】図１６は、本発明のよだれ掛けの変形例を示す。
【図１７】図１７は、本発明のよだれ掛けの別の変形例を示す。
【図１８】図１８は、本発明のよだれ掛けの第４変形例を示す。
【図１】
2007169863.tif 000003
【図２】
2007169863.tif 000004
【図３】
2007169863.tif 000005
【図４】
2007169863.tif 000006
【図５】
2007169863.tif 000007
【図６】
2007169863.tif 000008
【図７】
2007169863.tif 000009
【図８】
2007169863.tif 000010
【図９】
2007169863.tif 000011
【図１０】
2007169863.tif 000012
【図１１】
2007169863.tif 000013
【図１２】
2007169863.tif 000014
【図１３】
2007169863.tif 000015
【図１４】
2007169863.tif 000016
【図１５】
2007169863.tif 000017
【図１６】
2007169863.tif 000018
【図１７】
2007169863.tif 000019
【図１８】
2007169863.tif 000020
【外国語明細書】
2007169863000001.pdf